(57)【要約】【課題】  高密度・高容量タイプの光ディスクに適する光ピックアップであって、スポット形成に際して非点収差等の発生が少なくその変動が少ない対物レンズからなる光ヘッドを提供すること。【解決手段】  レンズホルダ本体１２の開口部１２ａに設けた弧状リブ１２ｃ，１２ｄによって対物レンズ１１のフランジ部１１ｂを複数箇所で部分的に支持する。これにより、レンズホルダ本体１２自体から対物レンズ１１に伝わる熱量を制限することができ、対物レンズ１１の熱変動、特に加熱を防止することができる。よって、対物レンズ１１を利用した光記録面上へのスポット形成に際して非点収差、球面収差等が発生しにくくなり、高ＮＡの対物レンズ１１からなる光ヘッドであっても高い検出精度、記録精度等を確保することができる。【選択図】  図１
2005063512.tif 000002
【特許請求の範囲】
【請求項１】
光記録媒体の記録面上にスポットを形成するための光ヘッドであって、
入射光束をスポットとして収束させる対物レンズと、
前記対物レンズを収容する開口部を有するとともに、前記対物レンズを当該対物レンズの外周部において複数箇所で部分的に支持するホルダと、
を備えることを特徴とする光ヘッド。
【請求項２】
トラッキングコイル及びフォーカシングコイルの少なくとも一方をさらに備え、前記トラッキングコイル及びフォーカシングコイルの少なくとも一方は、前記対物レンズの周囲に不均一な分布で配置されて固定されていることを特徴とする請求項１記載の光ヘッド。
【請求項３】
前記ホルダは、前記開口部の内周の所定箇所から内側に延びる複数の突起状支持部を備え、当該複数の突起状支持部は、前記対物レンズ外周のフランジ部を複数箇所でそれぞれ支持することを特徴とする請求項１及び請求項２のいずれか一項記載の光ヘッド。
【請求項４】
前記対物レンズは、当該対物レンズ外周のフランジ部の所定箇所からさらに周囲に延びる複数の突起状被支持部を備え、当該複数の突起状被支持部は、前記開口部の内周の所定箇所から内側に延びる突起状支持部によってそれぞれ支持されることを特徴とする請求項１及び請求項２のいずれか一項記載の光ヘッド。
【請求項５】
前記対物レンズは、当該対物レンズ外周のフランジ部の所定位置から光軸方向に延びる複数の凸部を備え、当該複数の凸部は、前記開口部の内周の所定箇所から内側に延びる突起状支持部によってそれぞれ支持されることを特徴とする請求項１及び請求項２のいずれか一項記載の光ヘッド。
【請求項６】
前記ホルダは、前記開口部の内周の所定箇所から内側に延びる突起状支持部を備え、当該突起状支持部は、光軸方向に延びる複数の凸部を備え、当該複数の凸部によって前記対物レンズ外周のフランジ部を複数箇所でそれぞれ支持することを特徴とする請求項１及び請求項２のいずれか一項記載の光ヘッド。
【請求項７】
前記対物レンズは、プラスチックの成形品であることを特徴とする請求項１から請求項６のいずれか一項記載の光ヘッド。
【請求項８】
請求項１から請求項７のいずれか一項記載の光ヘッドを備え、光記録媒体の記録面上の情報を読み取り、若しくは当該記録面に情報を書き込むことができる光ピックアップ装置。
【請求項９】
入射光束を収束させることにより光記録媒体の記録面上にスポットを形成するための光ヘッドの製造方法であって、
開口部を有するホルダと当該開口部に収容可能な対物レンズとを準備する工程と、
前記対物レンズを前記開口部に収容するとともに、当該対物レンズを外周部において複数箇所で部分的に支持する工程と、
前記開口部において複数箇所で部分的に支持された対物レンズを当該開口部中で固定する工程と
を備える光ヘッドの製造方法。
【発明の詳細な説明】
【技術分野】
【０００１】
本発明は、大容量の光ピックアップ装置用の光ヘッドに関し、特に高ＮＡでありながら良好な集光特性を有する光ヘッド、及び、かかる光ヘッドを組み込んだ光ピックアップ装置に関する。
【背景技術】
【０００２】
これまで、ＣＤ（コンパクト・ディスク）等の光情報記録媒体に対して情報の再生・記録を行うための各種光ピックアップ装置が開発・製造され、一般に普及している。かかる光ピックアップ装置に組み込まれる光ヘッドとして、断熱用の放熱溝やスリット状貫通孔を適宜形成したレンズホルダを用い、かかるレンズホルダに対して対物レンズを固定するものが存在する（特許文献１，２参照）。このような光ヘッドでは、駆動コイルによる発熱によって対物レンズが不均一に加熱されることを比較的確実に防止できるので、温度変化に伴う非点収差の発生をある程度抑えることができ、対物レンズの温度性能を改善することができる。
【０００３】
【特許文献１】特開平１０−１６２４０７号公報
【０００４】
【特許文献２】特開平１１−３５３６７５号公報
【発明の開示】
【発明が解決しようとする課題】
【０００５】
ところで、ここ数年で普及して来ているＤＶＤ（デジタル・ビデオ・ディスク）では、情報記録孔を小さくすることによってＣＤよりも記憶容量を飛躍的に増大させており、対物レンズのＮＡも０．６程度と、ＣＤ用の対物レンズのＮＡ０．４５に比較してかなり大きなものとなっている。
【０００６】
さらに最近では、光源として波長４０５ｎｍ前後のいわゆる青紫光のレーザ光源を用いた高密度・高容量タイプの光ディスクが開発されつつある。このような光ディスクについては、対物レンズのＮＡ、スポット径、光ディスクの保護基板厚等の規格が現時点で十分に統一されていないものの、対物レンズのＮＡがＤＶＤ用の対物レンズの場合よりもさらに増大する可能性があることから、より非点収差の少ない高性能の対物レンズが求められており、対物レンズの温度性能に対する要求スペックはますます厳しいものとなっている。
【０００７】
さらに、上述のような高密度・高容量タイプの光ディスクでは、高速の読み取りが必要になり、光ピックアップに高速応答性が要求され発熱量も一段と増加すると考えられる。この観点からも、光ヘッドの温度特性の向上が求められており、従来のようにレンズホルダの形状的工夫のみでは十分に対応できなくなってきている。特に、高密度・高容量タイプの新規光ディスクと、ＤＶＤ等の旧来型光ディスクとの複数規格の併用を可能にする互換型の光ピックアップ装置では、対物レンズの球面収差、非点収差等の温度補償も容易でなく、温度変化に伴う球面収差、非点収差等の変化が少ない対物レンズすなわち良好な温度特性の光ヘッドに対する要求が高まっている。
【０００８】
そこで、本発明は、高密度・高容量タイプの光ディスクに適する光ピックアップであって、スポット形成に際して非点収差等の発生が少なくその変動が少ない対物レンズからなる光ヘッドを提供することを目的とする。
【０００９】
また、本発明は、スポット形成に際して非点収差が少ない光ヘッドからなる光ピックアップ装置及びその製造方法を提供することを目的とする。
【課題を解決するための手段】
【００１０】
上記課題を解決するため、本発明に係る光ヘッドは、光記録媒体の記録面上にスポットを形成するための光ヘッドであって、入射光束をスポットとして収束させる対物レンズと、前記対物レンズを収容する開口部を有するとともに、前記対物レンズを当該対物レンズの外周部において複数箇所で部分的に支持するホルダとを備える。
【００１１】
上記光ヘッドでは、ホルダが前記対物レンズをその外周部において複数箇所で部分的に支持するので、ホルダ自体から対物レンズに伝わる熱量を制限することができ、対物レンズの熱変動、特に加熱を防止することができる。これにより、光記録面上へのスポット形成に際して非点収差、球面収差等やそれらの経時変化が発生しにくくなり、高ＮＡの対物レンズからなる光ヘッドであっても高い検出精度等を確保することができる。なお、当該対物レンズの支持箇所の個数や支持面積を適宜調節することによって、ホルダの開口部から対物レンズの外周への熱の流れを制御することができる。また、ホルダに断熱用の放熱溝やスリット状貫通孔を追加的に形成することもでき、この場合、相乗的に対物レンズの温度上昇を防止でき、結像特性の変化をさらに防止できる。
【００１２】
また、本発明の好ましい態様では、光ヘッドが、トラッキングコイル及びフォーカシングコイルの少なくとも一方をさらに備え、前記トラッキングコイル及びフォーカシングコイルの少なくとも一方が、前記対物レンズの周囲に不均一な分布で配置されて固定されている。この場合、トラッキングコイルやフォーカシングコイルによってホルダとともに対物レンズを適宜変位させることができる。この際、トラッキングコイルやフォーカシングによってホルダが不均一に加熱されても、かかる不均一な加熱に対応して対物レンズが不均一な分布で加熱されることを防止できるので、非点収差の少ない光ヘッドを提供することができる。
【００１３】
また、本発明の好ましい態様では、前記ホルダが、前記開口部の内周の所定箇所から内側に延びる複数の突起状支持部を備え、当該複数の突起状支持部が、前記対物レンズ外周のフランジ部を複数箇所でそれぞれ支持する。この場合、ホルダの開口部の形状を上述のように変更するだけで、対物レンズについて所望の断熱的支持が可能になる。
【００１４】
また、本発明の別の好ましい態様では、前記対物レンズが、当該対物レンズ外周のフランジ部の所定箇所からさらに周囲に延びる複数の突起状被支持部を備え、当該複数の突起状被支持部が、前記開口部の内周の所定箇所から内側に延びる突起状支持部によってそれぞれ支持される。この場合、対物レンズの周囲に形成したフランジ部の形状を上述のように変更することによって、対物レンズについて所望の断熱的支持が可能になる。
【００１５】
また、本発明の別の好ましい態様では、前記対物レンズが、当該対物レンズ外周のフランジ部の所定位置から光軸方向に延びる複数の凸部を備え、当該複数の凸部が、前記開口部の内周の所定箇所から内側に延びる突起状支持部によってそれぞれ支持される。この場合、対物レンズが凸部を介して小面積で支持されるので、断熱効果を高めることができる。
【００１６】
また、本発明の別の好ましい態様では、前記ホルダが、前記開口部の内周の所定箇所から内側に延びる突起状支持部を備え、当該突起状支持部が、光軸方向に延びる複数の凸部を備え、当該複数の凸部によって前記対物レンズ外周のフランジ部を複数箇所でそれぞれ支持する。この場合、対物レンズが凸部を介して小面積で支持されるので、断熱効果を高めることができる。
【００１７】
また、本発明の別の好ましい態様では、前記対物レンズが、プラスチックの成形品である。この場合、対物レンズの熱膨張によって非点収差等の収差が発生しやすくなるが、ホルダによる対物レンズの支持を上述のように改善して対物レンズに伝わる熱量を制限しているので対物レンズの結像特性を維持しやすく、光ヘッドすなわち光ピックアップ装置の動作性能を安定化させることができる。
【００１８】
また、本発明に係る光ピックアップ装置は、上述の光ヘッドを備え、光記録媒体の記録面上の情報を読み取り、若しくは当該記録面に情報を書き込むことができる。この場合、光記録面上へのスポット形成に際して非点収差、球面収差等が発生しにくくなり、高ＮＡの対物レンズからなる光ヘッドであっても高い検出精度等を確保することができるので、高記録密度の光ディスクに対して高速で情報の記録・再生が可能になる。
【００１９】
また、本発明に係る光ヘッドの製造方法は、入射光束を収束させることにより光記録媒体の記録面上にスポットを形成するための光ヘッドの製造方法であって、開口部を有するホルダと当該開口部に収容可能な対物レンズとを準備する工程と、前記対物レンズを前記開口部に収容するとともに、当該対物レンズを外周部において複数箇所で部分的に支持する工程と、前記開口部において複数箇所で部分的に支持された対物レンズを当該開口部中で固定する工程とを備える。このようにして得た光ヘッドを用いた場合、光記録面上へのスポット形成に際して非点収差、球面収差等が発生しにくくなり、高ＮＡの対物レンズからなる光ヘッドであっても高い検出精度等を確保することができるので、高記録密度の光ディスクに対して高速で情報の記録・再生が可能になる。
【発明を実施するための最良の形態】
【００２０】
〔第１実施形態〕
以下、本発明の第１実施形態に係る光ヘッドついて説明する。図１は、光ヘッドの要部の分解斜視図であり、図２は、光ヘッド要部の平面図である。
【００２１】
この光ヘッド１０は、集光用の対物レンズ１１と、この対物レンズ１１を保持するレンズホルダ本体１２と、このレンズホルダ本体１２の外周に形成されたフォーカシングコイル１３と、レンズホルダ本体１２の長手方向の両端に配置されたトラッキングコイル１４，１５とを備える。なお、レンズホルダ本体１２は、不図示のワイヤによってヘッド本体側に支持されており、マグネット若しくはヨーク（不図示）に対向してトラッキングコイル１４，１５等が配置されるようになっている。また、光ヘッド１０は、上記マグネット等によって形成された磁界中に配置されたコイル１３，１４，１５に通電することによって、レンズホルダ本体１２を対物レンズ１１とともに光軸に平行なＺ方向やこれに垂直なＸ方向に所望量だけ移動させるコイル駆動回路（不図示）を備える。
【００２２】
ここで、対物レンズ１１は、プラスチック製の両凸レンズであり、円形の本体部分１１ａの外周に環状のフランジ部１１ｂを有する。なお、本体部分１１ａに設けた一対の光学面は、非球面等からなるが、単なる曲面に限定されるものではない。例えば、ＣＤ、ＤＶＤ、高記録密度光ディスク等の複数規格に対して情報の再生・記録が可能な互換型の光ヘッドの場合には、本体部分１１ａの光学面を回折構造或いは光路差付与構造を有するものとすることができる。さらに、これらの光学面は、特殊な輪帯構造に分割することもできる。
【００２３】
レンズホルダ本体１２は、中央に円形の開口部１２ａを有する。この開口部１２ａの内周の２箇所には、円弧状の突起状支持部である一対の弧状リブ１２ｃ，１２ｄが形成されている。各弧状リブ１２ｃ，１２ｄは、開口部１２ａの中心から見て約４５゜の角度範囲に亘って対向するように対称に形成されており、それらの上面ＵＳは、平坦に形成されている。各弧状リブ１２ｃ，１２ｄは、対物レンズ１１の外周に形成されたフランジ部１１ｂを支持する。なお、これら弧状リブ１２ｃ，１２ｄは、図示の角度範囲や図示の個数だけ形成する場合に限らず、様々な角度範囲や任意の個数で形成することができる。これにより、対物レンズ１１の支持の安定性や、レンズホルダ本体１２から対物レンズ１１への熱伝導の効率を調節することができる。
【００２４】
以下、図１及び図２に示す光ヘッド１０の組み立てについて説明する。まず、型を利用したプラスチック成形によって、所望の形状の対物レンズ１１やレンズホルダ本体１２を形成し準備する。このようにして得たレンズホルダ本体１２の外周にフォーカシングコイル１３を巻き付けて固定するとともに、レンズホルダ本体１２の長手方向の両端に一対のトラッキングコイル１４，１５を取り付けて固定する。次に、レンズホルダ本体１２の開口部１２ａに対物レンズ１１を嵌め込むようにして収容する。これにより、レンズホルダ本体１２のフランジ部１１ｂが一対の弧状リブ１２ｃ，１２ｄに均等に支持される。この際、弧状リブ１２ｃ，１２ｄの上面ＵＳの適所にＵＶ硬化樹脂からなる接着剤ＯＳを付着させておく。つまり、レンズホルダ本体１２の開口部１２ａに対物レンズ１１を嵌め込んで、対物レンズ１１側から接着剤ＯＳにＵＶ光を照射することによって、一対の弧状リブ１２ｃ，１２ｄ上にフランジ部１１ｂを恒久的に固定することができる。
【００２５】
上記実施形態の光ヘッド１０によれば、レンズホルダ本体１２の開口部１２ａに設けた弧状リブ１２ｃ，１２ｄによって対物レンズ１１のフランジ部１１ｂを複数箇所で部分的に支持するので、レンズホルダ本体１２自体から対物レンズ１１に伝わる熱量を制限することができ、対物レンズ１１の熱変動、特に加熱を防止することができる。これにより、対物レンズ１１を利用した光記録面上へのスポット形成に際して、非点収差、球面収差等が発生しにくくなり、高ＮＡの対物レンズ１１からなる光ヘッドであっても高い検出精度、記録精度等を確保することができる。
【００２６】
〔第２実施形態〕
以下、本発明の第２実施形態に係る光ヘッドついて説明する。図３は、第２実施形態の光ヘッドの平面図である。この光ヘッドは、第１施形態に係る光ヘッドを変形したものであり、ここでは、変更部分についてのみ説明する。
【００２７】
この光ヘッド１１０の場合、対物レンズ１１１に設けたフランジ部１１ｂのさらに外周に、突起状被支持部である一対の弧状張出部１１１ｃ，１１１ｄを備える。また、レンズホルダ本体１１２の開口部１２ａの内側には、突起状支持部である環状リブ１１２ｆが形成されている。環状リブ１１２ｆの上面ＵＳは、平坦に形成されており、対物レンズ１１１の外周に形成された一対の弧状張出部１１１ｃ，１１１ｄを支持する。なお、これら弧状張出部１１１ｃ，１１１ｄは、図示のサイズや図示の個数だけ形成する場合に限らず、様々なサイズや個数で形成することができる。これにより、対物レンズ１１の支持の安定性や、レンズホルダ本体１２から対物レンズ１１への熱伝導の効率を調節することができる。
【００２８】
本実施形態の光ヘッド１１０によれば、レンズホルダ本体１２の開口部１２ａに設けた環状リブ１１２ｆによって対物レンズ１１のフランジ部１１ｂから延びる一対の弧状張出部１１１ｃ，１１１ｄを支持するので、レンズホルダ本体１１２自体から対物レンズ１１１に伝わる熱量を簡易且つ効率的に制限することができ、対物レンズ１１１がコイル１３，１４，１５（図１参照）等によって加熱されることを防止できる。
【００２９】
〔第３実施形態〕
以下、本発明の第３実施形態に係る光ヘッドついて説明する。図４（ａ）は、第３実施形態の光ヘッド要部の側方断面図であり、図４（ｂ）は、光ヘッド要部の平面図であり、図４（ｃ）は、対物レンズの光ヘッドの裏面図である。第３実施形態の光ヘッドも、第１施形態に係る光ヘッドを変形したものである。この光ヘッド２１０の場合、対物レンズ２１１に設けたフランジ部１１ｂ下面に、光軸方向に延びる計４個の凸部２１１ｆが形成されている。また、レンズホルダ本体２１２の開口部１２ａの内周の２箇所には、円弧状の突起状支持部である一対の弧状リブ１２ｃ，１２ｄが形成されている。つまり、レンズホルダ本体２１２は、第１実施形態の光ヘッドにおけるレンズホルダ本体２１２（図１等参照）とほぼ同一の形状を有する。各弧状リブ１２ｃ，１２ｄは、対物レンズ２１１外周から延びるフランジ部１１ｂ下面から突起する各凸部２１１ｆの下端を支持する。各凸部２１１ｆの下端は、不図示のＵＶ硬化樹脂によって弧状リブ１２ｃ，１２ｄの上面ＵＳに固定される。なお、弧状リブ１２ｃ，１２ｄは、図示の角度範囲や図示の個数だけ形成する場合に限らず、様々な角度範囲や任意の個数形成することができる。また、フランジ部１１ｂ下面から突起させる凸部２１１ｆのサイズや個数も使用環境等の条件に応じて適宜変更することができる。
【００３０】
本実施形態の光ヘッド２１０によれば、レンズホルダ本体２１２の開口部１２ａに設けた弧状リブ１２ｃ，１２ｄによって対物レンズ２１１のフランジ部１１ｂに設けた複数個の凸部２１１ｆを支持するので、レンズホルダ本体２１２自体から対物レンズ２１１に伝わる熱量を簡易且つ効率的に制限することができ、対物レンズ２１１がコイル１３，１４，１５（図１参照）等によって加熱されることを防止できる。
【００３１】
〔第４実施形態〕
以下、本発明の第４実施形態に係る光ヘッドついて説明する。図５は、第４実施形態の光ヘッド要部の平面図である。第４実施形態の光ヘッドは、第３施形態に係る光ヘッドを変形したものである。この光ヘッド３１０の場合、対物レンズ（不図示）の下面に凸部を形成せず、レンズホルダ本体３１２の開口部１２ａに設けた一対の弧状リブ１２ｃ，１２ｄの上面ＵＳの適所に計４個の凸部３１２ｆが形成されている。なお、対物レンズは、第１実施形態の光ヘッドにおける対物レンズ１１（図１等参照）とほぼ同一の形状を有する。
【００３２】
両弧状リブ１２ｃ，１２ｄから突起する４つの凸部３１２ｆは、対物レンズ１１の周囲に形成されたフランジ部１１ｂ下面を支持する（図１参照）。この際、各凸部３１１ｆの上端は、不図示のＵＶ硬化樹脂によってフランジ部１１ｂの下面に固定される。なお、弧状リブ１２ｃ，１２ｄは、図示の角度範囲や図示の個数だけ形成する場合に限らず、様々な角度範囲や任意の個数で形成することができる。また、両弧状リブ１２ｃ，１２ｄの上面ＵＳから突起させる凸部３１２ｆのサイズや個数も使用環境等の条件に応じて適宜変更することができる。
【００３３】
本実施形態の光ヘッド３１０によれば、レンズホルダ本体３１２の弧状リブ１２ｃ，１２ｄに設けた複数個の凸部３１２ｆによって対物レンズのフランジ部を支持するので、レンズホルダ本体３１２自体から対物レンズに伝わる熱量を簡易且つ効率的に制限して、その加熱を防止することができる。
【００３４】
〔第５実施形態〕
図６は、上記第１〜第４実施形態に係る光ヘッド１０（１１０，２１０，３１０）を組み込んだ光ピックアップ装置の構成を概略的に示す図である。
【００３５】
この光ピックアップ装置は、第１の光ディスク６１の情報再生用の半導体レーザ６２と、第２の光ディスク６５の情報再生用の半導体レーザ６６とを有しており、すなわち、互いに波長の異なるレーザ光を射出することができる。両半導体レーザ６２、６６からのレーザ光は、第１〜第４実施形態の光ヘッド１０（１１０〜３１０）に設けた対物レンズ１１（１１１，２１１）を利用して光ディスク６１、６５に照射され、光ディスク６１、６５からの反射光は、対物レンズ１１（１１１，２１１）を利用して集光される。
【００３６】
まず第１の光ディスク６１を再生する場合、第１半導体レーザ６２からビームを出射し、出射された光束は、ビームスプリッタ７１を透過し、偏光ビームスプリッタ７２、コリメータ７３、１／４波長板７４を透過して円偏光の平行光束となる。この光束は絞り７６によって絞られ、対物レンズ１１（１１１，２１１）により第１の光ディスク６１の透明基板６１ａを介して情報記録面６１ｂに集光される。
【００３７】
情報記録面６１ｂで情報ビットにより変調されて反射した光束は、再び対物レンズ１１（１１１，２１１）、絞り７６、１／４波長板７４、コリメータ７３を透過して、偏光ビームスプリッタ７２に入射し、ここで反射してシリンドリカルレンズ７８により非点収差が与えられ、光検出器７９上ヘ入射し、その出力信号を用いて、第１光ディスク６１に記録された情報の読み取り信号が得られる。 
また、光検出器７９上でのスポットの形状変化、位置変化による光量変化を検出して、合焦（フォーカス）検出やトラック検出を行う。この検出に基づいて光ヘッド１０（１１０〜３１０）に組み込んだコイル、マグネット等からなる２次元アクチュエータが第１の半導体レーザ６２からの光束を第１光ディスク６１の情報記録面６１ｂ上に結像するように対物レンズ１１（１１１，２１１）を光軸方向に移動させるとともに、この半導体レーザ６２からの光束を所定のトラックに結像するように対物レンズ１１（１１１，２１１）を光軸に垂直な方向に移動させる。
【００３８】
一方、第２の光ディスク６５を再生する場合、第２半導体レーザ６６からビームを出射し、出射された光束は、光合成手段であるビームスプリッタ７１で反射され、上記第１半導体レーザ６２からの光束と同様、偏光ビームスプリッタ７２、コリメータ７３、１／４波長板７４、絞り７６、対物レンズ１１（１１１，２１１）を透過し、第２の光ディスク６５の透明基板６５ａを介して情報記録面６５ｂに集光される。
【００３９】
情報記録面６５ｂで情報ビットにより変調されて反射した光束は、再び対物レンズ１１（１１１，２１１）、絞り７６、１／４波長板７４、コリメータ７３、偏光ビームスプリッタ７２、シリンドリカルレンズ７８を介して、光検出器７９上へ入射し、その出力情号を用いて、第２光ディスク６５に記録された情報の読み取り信号が得られる。
【００４０】
また、第１光ディスク６１の場合と同様、光検出器７９上でのスポットの形状変化、位置変化による光量変化を検出して、合焦検出やトラック検出を行い、光ヘッド１０（１１０〜３１０）に組み込んだ２次元アクチュエータにより、フォーカシング及びトラッキングのために対物レンズ１１（１１１，２１１）を移動させる。
【００４１】
第５実施形態の光ピックアップ装置では、熱の流れが制御された光ヘッド１０（１１０〜３１０）を用いているので、レンズホルダ本体１２（１１２〜３１２）から対物レンズ１１（１１１，２１１）に伝わる熱量を制限することができ、対物レンズ１１（１１１，２１１）の熱変動、特に加熱を防止することができる。よって、対物レンズ１１（１１１，２１１）を利用した光記録面上へのスポット形成に際して非点収差、球面収差等が発生しにくくなり、高ＮＡの対物レンズ１１（１１１，２１１）からなる光ヘッドであっても高い検出精度、記録精度等を確保することができる。
【００４２】
以上実施形態に即して本発明を説明したが、本発明は、上記実施形態に限定されるものではなく、様々な変形が可能である。例えば、上記第１〜第４実施形態において、レンズホルダ本体１２（１１２〜３１２）に断熱用の放熱溝やスリット状貫通孔を追加的に形成することができる。この場合、相乗的に対物レンズ１１（１１１，２１１）の温度上昇を防止でき、結像特性の温度変化をさらに低減することができる。
【図面の簡単な説明】
【００４３】
【図１】第１実施形態の光ヘッドの構造を説明する斜視図である。
【図２】図１の光ヘッドの平面図である。
【図３】第２実施形態の光ヘッドの構造を説明する平面図である。
【図４】（ａ）は、第３実施形態の光ヘッドの構造を説明する側方断面図であり、（ｂ）は、光ヘッドの平面図であり、（ｃ）は、対物レンズの裏面図である。
【図５】第４実施形態の光ヘッドの構造を説明する平面図である。
【図６】第５実施形態の光ピックアップ装置の構造を説明するブロック図である。
【符号の説明】
【００４４】
１０    光ヘッド
１１    対物レンズ
１１ａ    本体部分
１１ｂ    フランジ部
１２    レンズホルダ本体
１２ａ    開口部
１３    フォーカシングコイル
１４,１５    トラッキングコイル
６１    光ディスク
６１ｂ    情報記録面
７９    光検出器
【図１】
2005063512.tif 000003
【図２】
2005063512.tif 000004
【図３】
2005063512.tif 000005
【図４】
2005063512.tif 000006
【図５】
2005063512.tif 000007
【図６】
2005063512.tif 000008